(57)【要約】【課題】表示体と表示体に被せることができる袋状の表示体用カバーを有する表示装置において、表示体に取り付けた表示体用カバーに皺が形成されることを防止すると共に、表示体に対する表示体用カバーの着脱をスムーズに行うことができるようにする。【解決手段】表示装置Ａは、自立性を有するか、支持部材２に取り付けられることにより自立性が付与される表示体１と、表示体１に着脱可能に密着または実質的に密着して被せられる袋状の表示体用カバー１００と、を備えている。表示体１には、少なくとも表示体用カバー１００の着脱時において表示体用カバー１００と表示体１の間に外気を通気させるための凹溝１５１が設けられている。【選択図】図１
2008058930.tif 000002
【特許請求の範囲】
【請求項１】
自立性を有するか、支持部材(2)に取り付けられることにより自立性が付与される表示体(1)と、
該表示体(1)に着脱可能に密着または実質的に密着して被せられる袋状の表示体用カバー(100)(100a)と、
を備えており、        
上記表示体(1)または／及び表示体用カバー(100)には、少なくとも表示体用カバー(100)の着脱時において該表示体用カバー(100)と表示体(1)の間に外気を通気させるための通気手段(151)が設けられている、
表示装置。
【請求項２】
周壁を形成する表裏一対の湾曲面(11,12)を備えている表示体(1)と、
該表示体(1)を自立可能に支持する支持部材(2)と、
上記表示体(1)の湾曲面(11,12)に着脱可能に密着または実質的に密着して被せられる袋状の表示体用カバー(100)(100a)と、
を備えており、        
上記表示体(1)には、少なくとも表示体用カバー(100)の着脱時において該表示体用カバー(100)と上記湾曲面(11,12)の間に外気を通気させるための凹溝(151)が表示体(1)の少なくとも高さ方向に沿って設けられている、
表示装置。
【請求項３】
周壁を形成するように両端縁部がそれぞれ連設された表裏一対の湾曲面(11,12)を備えており、全体として先端部が閉塞された中空の略筒状体を構成するように、上記各湾曲面(11,12)の先端縁が互いに連設されて閉じていると共に基端縁側に開口部を有する表示体(1)と、
該表示体(1)を自立可能に支持する支持部材(2)と、
上記表示体(1)の湾曲面(11,12)に着脱可能に密着または実質的に密着して被せられる袋状の表示体用カバー(100)(100a)と、
を備えており、        
上記表示体(1)には、該表示体用カバー(100)と上記湾曲面(11,12)の間に外気を通気させるための凹溝(151)が各湾曲面(11,12)の少なくとも上記両端縁部及び先端縁部に沿って連続的に設けられている、
表示装置。
【請求項４】
被せられた表示体用カバー(100)(100a)の上から上記凹溝(151)が設けられた所要の位置に着脱可能に固定できる装着アタッチメント(4)を備え、
該装着アタッチメント(4)は、上記表示体(1)の凹溝(151)に嵌め込むことができ、上記凹溝(151)を挟持または把持する方向に力が作用することで表示体(1)に対する固定が維持される嵌込部(42)を有しており、更に上記表示用カバー(1)に施される表示とは別に表示を施すことが可能な装着用表示体(3)、または／及び並設される上記表示部材(1,1)の間に掛け渡すように配置することにより該表示体(1)と協働して仕切区域を形成できる掛け渡しバー(5)が取り付けられているか、取り付け可能な取付部(43)(46)を有している、
請求項１ないし３のいずれかに記載の表示装置。
【請求項５】
支持部材(2)は、表示部材(1)を着脱可能に取り付けることができる取付手段(21,21)と、重りのための液体または流動性固体を入れる空所(200)を内部に有している、
請求項１ないし４のいずれかに記載の表示装置。
【請求項６】
表示体(1)に施された表示が表示体用カバー(100a)を被せた状態でも視認できるように、表示体用カバー(100a)の全体または一部が透視性を有している、
請求項１ないし５のいずれかに記載の表示装置。
【請求項７】
請求項１ないし６のいずれかに記載の表示装置(A)を構成する、表示体用カバー。
【請求項８】
請求項１ないし７のいずれかに記載の表示装置(A)を構成する、表示体。
【発明の詳細な説明】
【技術分野】
【０００１】
本発明は、表示装置、表示体用カバー及び表示体に関する。
更に詳しくは、表示体と表示体に被せることができる袋状の表示体用カバーを有する表示装置において、表示体に取り付けた表示体用カバーに皺が形成されることを防止すると共に、表示体に対する表示体用カバーの着脱をスムーズに行うことができるようにしたものに関する。
【背景技術】
【０００２】
従来より、例えば家電量販店等の店内に設置して、商品の広告や宣伝に使用される等身大の表示板（ＰＯＰとも称される）を備えたスタンド式の表示体が知られている（例えば特許文献１等）。この種の表示体は、通常、新製品が発売される度に新しいものと取り換えられるので、製造コストを抑えるため、厚紙や段ボール紙等の紙製材料で形成されている。
【特許文献１】特開２００１−２９０４２４号公報
【０００３】
ところで、技術の進歩やトレンドの移り変わりが著しい今日において、家電などに代表される新製品の開発期間は以前にも増して短くなっており、各販売店には毎日のように目を引くような広告と共に新製品が入れ替わりで陳列される。このため、家電量販店などには、新製品が発売されるたびに、上記した等身大の表示体が店内に所狭しと設置される。
【０００４】
そして、新製品が発売されるたびに、スタンド式の表示体が家電メーカーから提供される。よって、以前の古い商品の広告のための表示体はゴミとして焼却処分されるが、大手家電メーカーともなれば、全国に提供される表示体の総数は膨大であり、そのために消費される紙製材料の消費量もかなりのものとなる。
【０００５】
このため、結果的に貴重な木材資源を浪費することになり、更に表示体の焼却によって排出される二酸化炭素は地球温暖化に多少なりとも悪影響を与える。このように、新製品の発売ごとに次々と作られる紙製の表示体を焼却処分するような行為は、省エネルギー、省資源、廃棄物への配慮するといった近年の社会情勢に反するような事態を少なからず招く結果となっている。
【０００６】
そこで、長年にわたり、自立型の表示体の開発を行っている本願発明者は、上記した課題を解決すべく、新しいタイプの表示体の開発に鋭意に取り組んだ。その結果、自立型の表示体に、別途、宣伝や広告などが印刷された袋状等のカバー（本明細書では「表示体用カバー」という場合がある）を被せて使用すれば、同じ表示体を廃棄することなく繰り返して使用することができ、上記した地球環境への課題が解決できるのではないか、という発想に至った。
【０００７】
このような自立型の構造体にカバーを被せるものとして、例えば特許文献２には、道路の工事箇所等に設置する道路標識である錐形の保安用具（以下、「コーン部材」という）用のカバーが提案されている。これによれば、先端が開口している円錐形の軟質合成樹脂フィルムからなるカバーを赤色に着色し、これをコーン部材に取り付けることで、夜間における視認性を向上させている。
【特許文献２】登録実用新案第３０５６８９０号公報
【発明の開示】
【発明が解決しようとする課題】
【０００８】
特許文献２で提案されている上記道路標識用のカバーは、宣伝や広告等を表示する表示体用のカバーではない。更に、特許文献２で提案されている道路標識用のカバーとコーン部材を、単に商品の広告や宣伝用の表示体に転用しただけでは、以下のような課題がある。
【０００９】
(1) 即ち、特許文献２に記載のものは、カバーの先端部が開口しているため、開口部から表示体の先端部が見えてしまう。このため、同じ表示体を長年繰り返し使用する場合は、経年劣化等によって色あせたり、薄汚れた表示体の先端部がカバーからはみ出して見えることになり、注目度を要するディスプレイ用の表示体としては好ましくない。
【００１０】
(2) また表示体は毎日展示するものであるから、先端部分が開口していると、開口部と表示体の間に埃がたまりやすく、これについても注目度を要するディスプレイ用の表示体としては好ましくない。
【００１１】
(3) 更にカバーの先端部が開口していると、取り外しが比較的容易という反面、人などが接触した場合、カバーが周方向に回ってズレやすい。
【００１２】
(4) また更に柔軟性を有する合成樹脂シートでカバーを形成した場合は、開口部の周縁部分の継目からカバーが破れやすいといった欠点も考えられる。
【００１３】
そこで、本願発明者は、表示体用カバーを備えた新規の表示体の開発にあたり、先端部に開口部を有しない袋状の表示体用カバーを採用することが好適であるという発想に至り、製品化に向け更に検討を進めた。しかしながら、袋状の表示体用カバーの適用検討を進める中で、以下のような新たな課題に直面した。
【００１４】
即ち、上記したように商品の広告や宣伝に使用する表示体は、買い物客の注目度を集めるために設置するものなので、被せた表示体用カバーにできるだけ皺が形成されないようにする必要がある。そのためには、表示体に対する表示体用カバーの密着性を向上させる必要があり、表示体用カバーをややきつく嵌め込んで表示体の表面に密着できるような大きさで形成することが好ましい。
【００１５】
しかしながら、そのようにして形成した袋状の表示体用カバーを、表示体の先端部から少しずつ嵌め込んでいきながら実際に被せる際、袋状であって表示体と密着するように形成されているために、表示体用カバーの内部奥にある空気の逃げ場がなく、スムーズに表示体用カバーを被せることができない、という新たな課題が発生した。
【００１６】
また表示体用カバーを取り外す際も同様で、表示体の表面に表示体用カバーが密着している状態では、表示体用カバーを引っ張って取り外そうとしても、空気圧の関係で表示体用カバーの内部奥に負圧が発生し、スムーズに取り外すことができない。
【００１７】
（本発明の目的）
そこで本発明の目的は、表示体と表示体に被せることができる袋状の表示体用カバーを有する表示装置において、表示体に取り付けた表示体用カバーに皺が形成されることを防止すると共に、表示体に対する表示体用カバーの着脱をスムーズに行うことができるようにすることにある。
その他の本発明の目的は以下の説明から明らかになろう。
【課題を解決するための手段】
【００１８】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００１９】
本発明は、自立性を有するか、支持部材(2)に取り付けられることにより自立性が付与される表示体(1)と、該表示体(1)に着脱可能に密着または実質的に密着して被せられる袋状の表示体用カバー(100)(100a)と、を備えており、上記表示体(1)または／及び表示体用カバー(100)には、少なくとも表示体用カバー(100)の着脱時において該表示体用カバー(100)と表示体(1)の間に外気を通気させるための通気手段(151)が設けられている、表示装置である。
【００２０】
本発明は、周壁を形成する表裏一対の湾曲面(11,12)を備えている表示体(1)と、該表示体(1)を自立可能に支持する支持部材(2)と、上記表示体(1)の湾曲面(11,12)に着脱可能に密着または実質的に密着して被せられる袋状の表示体用カバー(100)(100a)と、を備えており、上記表示体(1)には、少なくとも表示体用カバー(100)の着脱時において該表示体用カバー(100)と上記湾曲面(11,12)の間に外気を通気させるための凹溝(151)が表示体(1)の少なくとも高さ方向に沿って設けられている、表示装置である。
【００２１】
本発明は、周壁を形成するように両端縁部がそれぞれ連設された表裏一対の湾曲面(11,12)を備えており、全体として先端部が閉塞された中空の略筒状体を構成するように、上記各湾曲面(11,12)の先端縁が互いに連設されて閉じていると共に基端縁側に開口部を有する表示体(1)と、該表示体(1)を自立可能に支持する支持部材(2)と、上記表示体(1)の湾曲面(11,12)に着脱可能に密着または実質的に密着して被せられる袋状の表示体用カバー(100)(100a)と、を備えており、上記表示体(1)には、該表示体用カバー(100)(100a)と上記湾曲面(11,12)の間に外気を通気させるための凹溝(151)が各湾曲面(11,12)の少なくとも上記両端縁部及び先端縁部に沿って連続的に設けられている、表示装置である。
【００２２】
本発明は、被せられた上記表示体用カバー(100)(100a)の上から上記凹溝(151)が設けられた所要の位置に着脱可能に固定できる装着アタッチメント(4)を備え、該装着アタッチメント(4)は、上記表示体(1)の凹溝(151)に嵌め込むことができ、上記凹溝(151)を挟持または把持する方向に力が作用することで表示体(1)に対する固定が維持される嵌込部(42)を有しており、更に上記表示用カバー(1)に施される表示とは別に表示を施すことが可能な装着用表示体(3)、または／及び並設される上記表示部材(1,1)の間に掛け渡すように配置することにより該表示体(1)と協働して仕切区域を形成できる掛け渡しバー(5)が取り付けられているか、取り付け可能な取付部(43)(46)を有している、表示装置である。
【００２３】
上記支持部材(2)は、表示部材(1)を着脱可能に取り付けることができる取付手段(21,21)と、重りのための液体または流動性固体を入れる空所(200)を内部に有していることが、好ましい。
【００２４】
表示体(1)に施された表示が表示体用カバー(100a)を被せた状態でも視認できるように、表示体用カバー(100a)の全体または一部が透視性を有しているように構成することもできる。
【００２５】
本発明は、上記表示装置(A)を構成する表示体用カバーである。また本発明は、上記表示装置(A)を構成する表示体である。
【００２６】
本発明では、少なくとも表示体用カバー(100)(100a)の着脱時において表示体用カバー(100)(100a)と表示体(1)の間に外気を通気させるため、表示体(1)または／及び表示体用カバー(100)(100a)に通気手段を設けている。この通気手段は、表示体(1)または表示体用カバー(100)のどちらか一方に設けても良いし、両方に設けても良い。通気手段の具体例としては、凹溝(151)、突条部、通気孔や通気口等の孔、スリット等を挙げることができる。
このうち、突条部を採用すると共に、表示体用カバー(100)(100a)を例えば柔軟性を有する素材で形成した場合には、表示体(1)に被せた表示体用カバー(100)(100a)の表面に突条部の形が現れる場合があるので、そのような場合は凹溝(151)や孔を採用することが好ましい。
孔を採用する場合は、例えば中空の略筒状体を構成する表示体(1)の先端側に孔を設ければ、表示体(1)の内側から空気を通気することができる。
【００２７】
（作  用）
(ａ) 本発明に係る表示装置は、次のように作用する。 
自立性を有するか、支持部材(2)に取り付けられることにより自立性が付与される表示体(1)に、袋状の表示体用カバー(100)(100a)を被せる。そして、表示体(1)に被せる表示体用カバー(100)(100a)に、例えば商品の広告や店の宣伝等の各種の表示を施す。この際、各種の表示を施した表示体用カバー(100)を複数揃えておけば、表示体用カバー(100)(100a)を取り換えるだけで、廃棄することなく、同じ表示体(1)を繰り返して使用できる。
【００２８】
更に、表示体用カバー(100)(100a)は、表示体(1)に着脱可能に密着または実質的に密着して被せられるように形成されている。これにより、表示体(1)に取り付け後の表示体用カバー(100)に皺が形成されることを防止できる。
【００２９】
そして、袋状の表示体用カバー(100)(100a)を表示体(1)に被せる際、まずは、表示体用カバー(100)(100a)の開口部(102)を例えば表示体(1)の一端側に嵌め込み、その後、他端側にずらしながら少しずつ嵌め込んでいけば良い。その嵌め込みの際、表示体(1)に設けてある凹溝(151)、突条部または孔（以下、凹溝(151)等という場合がある）が表示体用カバー(100)(100a)と表示体(1)の間に外気を通気させ、表示体用カバー(100)(100a)の取り付けを容易にする。
【００３０】
即ち、本発明によれば、表示体用カバー(100)(100a)を他端側に向かって被せる際に、表示体用カバー(100)(100a)の内部奥の空気が表示体(1)の凹部(151)等を通って外に排出されるので、表示体用カバー(100)(100a)をスムーズに取り付けることができる。
【００３１】
また、表示体用カバー(100)(100a)を表示体(1)から取り外す際も同様である。即ち、表示体用カバー(100)(100a)を引っ張って取り外す際に、表示体(1)の凹部(151)等を外気が通るため、表示体用カバー(100)(100a)の内部奥に外気が送られ、当該部分に過度の負圧が発生しにい。これにより、無理な力を加えることなく、表示体用カバー(100)(100a)をスムーズに取り外すことが可能となる。
【００３２】
（ｂ）被せられた表示体用カバー(100)(100a)の上から上記凹溝(151)が設けられた所要の位置に着脱可能に固定できる装着アタッチメント(4)を備えているものでは、装着アタッチメント(4)を使用することにより、表示体用カバー(1)に施される表示とは別に、表示体(1)に表示を施すことができる。
即ち、まず装着アタッチメント(4)を表示体(1)に被せた表示体用カバー(100)(100a)の上から装着する。詳しくは、表示体(1)の凹溝(151)が設けられた所要の位置に、装着アタッチメント(4)を嵌め込んで取り付ける。続いて、装着アタッチメント(4)に装着用表示体(3)を取付部(43)を介して取り付ける。あるいは、装着アタッチメント(4)に表示体(1)と協働して仕切区域を形成できる掛け渡しバー(5)を取付部(46)を介して取り付ける。
このように、表示体用カバー(100)(100a)の上から装着アタッチメント(4)を装着することによって、装着部分における表示体用カバー(100)(100a)のズレが防止できるので、表示体用カバー(100)(100a)に皺が発生することをより効果的に防ぐことができる。
【００３３】
（ｃ）支持部材(2)が、表示部材(1)を着脱可能に取り付けることができる取付手段(21,21)を有しているものでは、表示体１を支持部材(2)に着脱可能に取り付けできるので、表示体(1)と支持部材(2)を別々に分けて運ぶことができる。したがって、設置時や保管時の移動または不使用の保管等が容易である。
また支持部材(2)は重りのための液体または流動性固体を入れる空所(200)を内部に有しているので、表示装置を設置している際は、支持部材(2)に重りのための液体または流動性固体（以下、液体等という場合がある）を充填しておき、不使用に倉庫等に保管する際には、表示体(1)を支持ベース(2)から取り外して液体等を排出すれば良い。このように、表示体(1)は取り外しが可能なため、例えば液体が水である場合は水の充填時に直接水道の蛇口まで持ち上げることができ、水の排出時には周りを濡らさないように洗面所等の排出口まで近づけて排水できる。
【発明の効果】
【００３４】
本発明は上記構成を備え、次の効果を有する。
（ａ）本発明に係る表示装置によれば、表示体にでなく、表示体に被せる表示体用カバー側に例えば商品の広告や店の宣伝等の各種の表示を施すことができる。これにより、各種の表示を施した表示体用カバーを複数揃えておけば、表示体用カバーを取り換えるだけで、廃棄することなく、同じ表示体を繰り返して使用できる。
【００３５】
（ｂ）また本発明によれば、表示体と袋状の表示体用カバーを有する表示装置において、表示体または／及び表示体用カバーに、表示体用カバーと表示体の間に外気を通気させるための通気手段が設けられているので、表示体に取り付けた表示体用カバーに皺が形成されることを防止すると共に、表示体に対する表示体用カバーの着脱をスムーズに行うことができる。
【００３６】
（ｃ）更に、被せられた表示体用カバーの上から上記凹溝が設けられた所要の位置に着脱可能に固定できる装着アタッチメントを備えているものでは、装着アタッチメントで表示体用カバーを固定することで、表示体用カバーを表示体に被せた後に、表示体用カバーを握って設置場所を移動させたり、人が接触したりする等によって、表示体用カバーがずれて皺ができてしまうことを効果的に防止できる。また、装着アタッチメントに装着用表示体を取り付けることで、表示体用カバーに施される表示とは異なる表示を表示体に別途施すことができる。
【００３７】
（ｄ）表示体に施された表示が表示体用カバーを被せた状態でも視認できるように、表示体用カバーの全体または一部が透視性を有しているものでは、表示体に施した表示を表示体用カバーで覆うことができるので、雨風に晒されても表示が取れたり、剥がれたりすることを防止できる。
【発明を実施するための最良の形態】
【００３８】
以下、本発明を図面に示した実施例に基づき更に詳細に説明するが、本発明はこれらに限定されるものではない。
【実施例１】
【００３９】
図１ないし図１０は、本発明に係る表示装置の第１の実施例を説明するための図である。
図１は、表示装置を構成する支持ベースに取り付けられた表示体と、表示体に被せられる表示体用カバーを示す斜視説明図、
図２は、図１に示す支持ベースに取り付けられた表示体（表示体用カバーは図示していない）を示す側面視説明図、
図３は、図１に示す表示体用カバーを表示体に被せた後に、表示体用カバーの上から装着アタッチメントを取り付けた使用状態を示す正面視説明図であり、丸で囲んた部分の一部断面拡大図を図３の右上に併せて図示している。
図４は、図１に示す支持ベースを示す拡大斜視説明図で、取付対象である表示体を想像線で表している。
【００４０】
図１に示すように、表示装置Ａは、支持部材である支持ベース２と、支持ベース２に取り付けられることにより自立性が付与される表示体１と、この表示体１に着脱可能に被せられる袋状の表示体用カバー１００を備えている。
【００４１】
更に、表示体１の表面（後述する表側部１１と裏側部１２）には、表示体用カバー１００の着脱時において、表示体用カバー１００と表示体１の間に外気を通気させるための通気手段である凹溝１５１が設けられている。
以下、表示装置Ａの各構成部材について、順を追って詳しく説明する。
【００４２】
（表示体用カバー１００）
図１に示すように、表示体１には、外側に表示面１０１，１０１を有する表示体用カバー１００を先端側から着脱可能に密着または実質的に密着して被せることができる。表示体用カバー１００は、先端部が閉じられていると共に、基端部に長円形状（楕円状）の開口部１０２を有しており、上記したように全体で袋状に形成されている。表示体用カバー１００はその先端側の幅方向の両端部分がやや丸みをつけて形成されている。なお、その両端部分をやや角張らして形成することもできる。
【００４３】
表示体用カバー１００の素材として、例えば柔軟性を有する合成樹脂製シートが採用ができる。また優れた耐水性を有している合成樹脂シートがより好ましい。表示体用カバー１００は、表示体１に被せた際に、シート表面に皺が形成されることを防止できるように、ややきつく嵌め込んで密着させることができるような大きさで形成できる。また、ややきつく嵌め込んで密着させれば、暴風雨などの悪天候の際でも外れにくいという利点がある。
【００４４】
そして、ややきつく密着するように形成した場合に、表示体用カバー１００を円滑に被せることができるようにするために、例えば接触面となる少なくとも表示体用カバー１００の内面が滑りの良い平滑な面となるような合成樹脂製シートをその素材として採用することができる。
【００４５】
更に、本実施例では、後述するように、表示体１の先端側の幅方向の両端部分がやや丸みをつけて形成されている。これにより、仮に表示体１の上記両端部分を角張らせて形成した場合と比べて、被せる際に、表示体用カバー１００がその角張った両端部分に引っ掛かることを防止して表示体１に円滑（スムーズ）に被せることができる。
【００４６】
そして、表示体用カバー１００の表示面１０１，１０１に、例えば商品や店の広告・宣伝、あるいは土地の販売であれば「売地」等の各種表示を施すことができる。
図３に示す使用状態図では、家電量販店に本実施例の表示装置Ａを設置した場面を想定して、表示体用カバー１００にプラズマテレビの広告を表示した場合を図示している。なお、これらの表示を印刷技術（例えばグラビア印刷等）によって行えば、文字やイラスト等の多種多様の表示を容易に施すことができる。
【００４７】
このように、表示体１にではなく、表示体１に被せる表示体用カバー１００に各種の表示を施すようにすれば、表示体用カバー１００を取り換えるだけで、同じ表示体１を繰り返して使用することができる。
【００４８】
その他の具体的な使用例を挙げると、スーパー等の食料品店やコンビニエンスストア等において、セール品やタイムセールの商品に応じて臨機応変に表示体用カバー１００を適宜取り換えるような使い方もできる。
また国際会議場などにおける各種イベント会場の出入口等に案内表示として本実施例の表示装置Ａを置き、各種イベントに応じて表示内容の異なる表示体用カバー１００をその都度被せるようにすれば、同じ表示体１を繰り返して使用することができる。
【００４９】
更に、表示体１に表示体用カバー１００を被せることで、太陽紫外線による表示体１の素材劣化を防止できるようにすれば、表示体用カバー１００を使用しない場合と比べて、表示体１を屋外で長期間に使用しやすくなる。
なお、表示体１の表側部１１と裏側部１２にも表示を施しておけば、表示体用カバー１００を被せていないときも、表示体１を表示手段として使用できる。
【００５０】
（表示体１）
図１及び図２に示すように、表示体１は、先端部がやや扁平に平たく閉じられた略筒状体で構成されている。詳しくは、表示体１は、周壁を形成するように両端縁部がそれぞれ連設された表裏一対の湾曲面である表側部１１と裏側部１２を備えている。
【００５１】
表示体１は、全体として先端部が閉塞された中空の略筒状体を構成するように、上記各表側部１１と裏側部１２の先端縁（後述する曲部１４に相当する部分）が互いに連設されて閉じていると共に、基端縁側に開口部である基部側開口１０（後述する図４も参照）を有している。また詳しくは、図２に示すように、表示体１は、表示体１の厚み（表側部１１と裏側部１２の距離）が先部側に向かって次第に薄くなるように、側面視で二等辺三角形状に形成されている。
【００５２】
本実施例では、表示体１の大きさは、図１で横幅（基部側開口１０の長手方向の幅）が約４５０ｍｍ、高さが約９００ｍｍ、幅方向の両端部の厚みがそれぞれ約３０ｍｍ、基部側における幅方向の中央部分（最も膨らんだ部分）の厚みが約１７０ｍｍである。なお、表示体１の大きさは、表示する内容や設置場所等の使用条件によって適宜設定され、上記したものに特に限定されない。
【００５３】
表示体１は、例えば合成樹脂で一体成形することができる。その場合、表示体１の素材である合成樹脂の厚みとして、例えば３ｍｍ程度のものが好適に採用できる。表示体１の成形方法としては、熱可塑性樹脂を材料としたブロー成形を採用することもできるし、その他の公知の成形方法が適宜採用できる。また一体成形ではなく、例えば合成樹脂製のシートを折り曲げ、溶着や接着等の接合によって成形することも可能である。
【００５４】
図１に示すように、表示体１の先端側の幅方向の両端部分（後述する曲部１４の両端部分）は、表示体用カバー１００の形状に対応させて外縁方向に丸みをつけて形成されている。また表示体１の先部側の端縁部分（後述する曲部１４の厚み部分）と幅方向の両側の端縁部分（後述する曲部１３,１３の厚み部分）も、その厚み方向に丸く形成されている。これにより、角張らせて形成した場合と比べ、人が表示体１にぶつかってもそれほど痛くはないので、人が通行するまたは行き交うような場所でも安心して設置できる。
【００５５】
表示体１は、幅方向の両側縁と先端縁とに、後述する装着アタッチメント４を装着できる被装着部である曲部１３,１４をそれぞれ有している。図３に示すように、この各曲部１３、１４、１４に装着アタッチメント４を嵌め込んで装着することができる。図３で符号Ｌは設置面を示している。
【００５６】
以下、この表示体１の装着アタッチメント４を装着する部分（被装着部）を「アタッチメント被装着部１５」といい、図面では符号１３、１４の後に括弧を付して表している。
図３に示すように、アタッチメント被装着部１５は、表側部１１と裏側部１２の周りに沿って連続的に設けられている。なお、アタッチメント被装着部１５を断続的に設けることもできる。アタッチメント被装着部１５の詳細は後述する。
【００５７】
上記したように、表示体１には、表示体用カバー１００の着脱時において、表示体用カバー１００と表示体１の間に外気を通気させるための凹溝１５１が表示体の少なくとも高さ方向に沿って設けられている。詳しくは、凹溝１５１は、各曲部１３,１３,１４の内方であって、各表側部１１と裏側部１２の幅方向の両端縁付近及び高さ方向の先端縁付近に沿って連続的に設けられている。
【００５８】
即ち、凹溝１５１は、上記した曲部１３,１３,１４で構成されるアタッチメント被装着部１５の内側に沿って連続的に設けてある。凹溝１５１は、表側部１１と裏側部１２に対向するように、基部側開口１０側（図５参照）を除く表示体１の周縁側に連続的に設けられている。
【００５９】
この凹溝１５１は、図３に示す装着した装着アタッチメント４（具体的には、後述する図８(ｂ)の装着アタッチメント４の掛止部４１）が係合する掛止凹部（掛止溝）としても機能する。本実施例では凹溝１５１の断面は半円弧状である。この形状は、装着アタッチメント４の掛止部の形状に対応させて適宜設定でき、例えば断面略「コ」状や他の形状に形成することもできる。
【００６０】
また表示体１は、側面視（図２を参照）で幅方向の長さが先部側に向かってやや狭くなるように、全体として先部側に向かってややすぼまって形成されている。そして、後述するように、基部側開口１０をやや拡げて支持ベース２に取り付けた状態では、基部側開口１０が短手方向（表示体１の厚み方向）に少し膨らむと共に、表示体１基部側の幅方向の長さが多少短くなることで、先部側の幅方向の長さとほぼ等しくなるように設定されている。
【００６１】
これにより、表示体１を正面視で見た際に、表側部１１または裏側部１２が略長方形状に見えるようにすると共に、表示体１を上方から見下ろした際に基部側が細く見えてしまうことを防止するといった効果が得られるようにしている。
【００６２】
更に表示体１は、素材自体が有する自己形状保持力（自己弾性力）によって、一旦拡げた基部側開口１０を元の大きさに閉じようとする自己閉鎖性を有している。
【００６３】
また図２及び図４に示すように、表側部１１及び裏側部１２の基部側（底部側）には、その中央部分に円形または円形状の孔で構成された係合要素である差込孔１１５ａ，１１５ｂが所要数が向かい合わせに配置されている。本実施例では、差込孔１１５ａ，１１５ｂは、表側部１１及び裏側部１２それぞれに二箇所、合計四箇所設けてある。
【００６４】
差込孔１１５ａ，１１５ｂには、後述する支持ベース２の係止要素（係止部または係止突部）である係止突起２１５ａ，２１５ｂ（図２も参照）が、表側部１１と裏側部１２（基部側開口１０）を外方に拡げるように内方から差し込まれることで、表示体１が支持ベース２に取り付けられる。
【００６５】
（装着アタッチメント４）
図５(ａ)(ｂ)は、同じく本実施例に係る表示装置Ａを構成する装着アタッチメントの斜視説明図であり、図面の左側に表示体である表示パネルシートを部分的に表している。
図６(ａ)は、図５に示す装着アタッチメントの側面視縮小説明図であり、装着アタッチメントに取り付けた表示体である表示パネルシートを一点鎖線で表している。
図６(ｂ)は、図６(ａ)に示す装着アタッチメントを上方から見た状態を示す拡大説明図である。
【００６６】
図５に示す装着アタッチメント４は、合成樹脂で一体成形して形成することができる（後述する金属製のバネ４４を除く）。本実施例では、装着アタッチメント４の大きさは、長手方向の長さが約１５０ｍｍ、幅が約４０ｍｍ（取り付ける前の状態）である。なお、装着アタッチメント４の大きさは、取付対象である表示体１や表示パネルシート３の大きさ等に応じて適宜設定できる。
【００６７】
装着アタッチメント４には、図３に示すように、装着用表示体である例えば板状の表示パネルシート３を取り付けることができる。表示パネルシート３は、柔軟性、可撓性または変形性を有する素材で形成することができる。この素材としては、合成樹脂製のシートが好適に使用できる。表示パネルシート３は、厚みが例えば１〜２ｍｍ程度の薄いパネルシートが好適に使用できる。
【００６８】
このように、厚みの薄い表示パネルシート３を使用することで、屋外で使用した際の風に対する抵抗を減らし、暴風雨などの悪天候の際でも容易に外れないようにしている。また厚みが薄いことで、複数重ねても嵩張らないため、運搬や保管等の取扱いが容易である。
【００６９】
なお、表示パネルシート３を発泡合成樹脂、木板、段ボール紙や厚紙等の紙製の板体、あるいは軽量金属板やそれらの素材を組み合わせたもの等や、その他の材料で形成することもできる。また表示パネルシート３の厚みや大きさは特に限定するものではない。
【００７０】
上記したように図３では、表示装置Ａを家電量販店に設置した場合を想定して図示しており、表示パネルシート３には「激安！感謝セール今週いっぱい！」、「セール期間中  テレビ専用台もついてこの値段！」等の表示が施されている。
【００７１】
図５(ａ)(ｂ)に示すように、装着アタッチメント４は、上記した表示体１のアタッチメント被装着部１５に嵌め込んで装着できる嵌込部を構成するアタッチメント本体４２を備えている。アタッチメント本体４２は、アタッチメント被装着部１５に嵌め込むことができるように、断面略Ｃ形状に形成されている。そして、このアタッチメント本体４２の内周面側（内方）の凹部である嵌合凹部４２１に、表示体１のアタッチメント被装着部１５が嵌め込まれる。
【００７２】
図５(ａ)に示すように、アタッチメント本体４２の背面側（嵌合凹部４２１の反対側）に、表示パネルシート３を着脱可能に取り付けるための表示体受部４３が設けてある。表示体受部４３は、アタッチメント本体４２の長手方向（図５(ａ)で上下方向）の両端側の二箇所に所要間隔をおいて設けてある。表示体受部４３は、所要間隔をおいて並設された所要数（本実施例では複数、二本）の嵌合片４３１によって構成され、一対の嵌合片４３１，４３１の間には表示パネルシート３を差し込むことができる隙間で構成される差込部である差込溝４３２が設けてある。
【００７３】
また図５(ａ)に示すように、上記表示体受部４３を構成する嵌合片４３１，４３１の内側面には、差し込んた表示パネルシート３の表面に掛止してまたは引っ掛かって、表示パネルシート３の脱着を防止するための掛止部である所要数の掛止突条部４３３が向かい合うようにして対で設けてある。
【００７４】
更に、図５(ａ)及び図６(ｂ)に示すように、表示体受部４３,４３を構成する一方の嵌合片４３１の内側面の所要の位置に、平面視半円形状の当接部４３４が形成されている。
当接部４３４は、図５(ａ)に示すように、表示体受部４３の高さ方向に沿って設けられた突条部で構成されている。図６(ｂ)に示すように、この当接部４３４が、表示体受部４３に差し入れられた表示パネルシート３に側面側から当接することで、表示パネルシート３の一部を湾曲させた状態で掛止し、一旦取り付けた表示パネルシート３が容易に外れないようにしている。
【００７５】
図５(ａ)及び図６(ａ)の一点鎖線に示すように、表示パネルシート３の取り付け側に一部を切り欠くようにして形成された嵌合凹部３２が形成されている。更に、嵌合凹部３２の先部側の両側には、内方に突出して形成された一対の掛止片３２１,３２１が設けてある。
【００７６】
そうして、実際に表示パネルシート３を装着アタッチメント４に取り付ける際は、表示パネルシート３を表示体受部４３，４３に差し入れた状態で、表示パネルシート３の長手方向の中央部分でやや湾曲させ、上記した一対の掛止片３２１,３２１を、アタッチメント本体４２の長手方向の両端部の嵌合凹部４２１に嵌め入れて両側から掛止させる（図５(ａ)も参照）。これにより、表示パネルシート３の差込溝４３２に、装着アタッチメント４が嵌り込んで容易に外れない。
【００７７】
なお、表示パネルシート３を着脱式ではなく、ネジやビス等の締付固定具（図示せず）を用いて装着アタッチメント４に予め固定しても良い。固定式とすることで、暴風雨などの悪天候の際でも外れにくい。固定式を採用する場合、表示パネルシート３に文字等の表示を直接印刷しても良いが、別途印刷したシールを表示パネルシート３に貼るようにし、表示を変更したいときに、適宜シールを貼り替えるようにしても良い。なお、上記した掛止突条部４３３を省略することもできる。
【００７８】
図５(ａ)に示す装着アタッチメント４のアタッチメント本体４２は、図３で丸で囲んで示す部分断面図に示すように、表示体１のアタッチメント被装着部１５に装着したときに、アタッチメント被装着部１５を挟持する方向に付勢力が生じるように形成された掛止部４１,４１を有している。この掛止部４１，４１は、アタッチメント本体４２の嵌合凹部４２１の先部側（アタッチメント本体４２の内周面の先端側）に、装着アタッチメント４の長さ方向に沿って設けられた爪部材で構成されている。
【００７９】
更に、図５及び図６に示すように、アタッチメント本体４２の内周面には、付勢手段である略Ｕ字状のバネ４４が内面部から内側に張り出さないように溝（符号省略）に嵌め込んで設けてある。本実施例では、バネ４４として金属製の薄板バネを使用している。バネ４４は、長手方向に所要の間隔をおいて所要数（本実施例では複数、２箇所）に設けてある。なお、図示はしていないが、バネ４４をアタッチメント本体４２の外周面側に設けることもできる。また、バネ４４以外の他の形状のバネを採用しても良い。
【００８０】
アタッチメント本体４２（図３の部分拡大図参照）において、嵌合凹部４２１を両側から挟むような位置に設けてある各掛止部４１，４１間の距離は約２０ｍｍである。一方、、取付対象であるアタッチメント被装着部１５の厚みはそれよりも厚い約３０ｍｍ、表示体１の対向する凹溝１５１，１５１間の距離もそれよりも厚い約２６ｍｍとなっている。
即ち、装着時には、装着アタッチメント４をアタッチメント被装着部１５側からやや力を入れて押し込めば、バネ４４（図５(ａ)参照）の付勢力に抗して掛止部４１，４１の間隔が拡がり、その後、バネ４４の付勢力により掛止部４１,４１が凹溝１５１，１５１に強く嵌り込む。
【００８１】
これにより、装着アタッチメント４が表示体１に確実に装着され、掛止部４１，４１が凹溝１５１から外れるように、やや力を入れて意図的に外さない限り（単に風が吹いたり人が接触しただけでは）、装着アタッチメント４が表示体１から簡単には外れることはない。
【００８２】
なお、上記したバネ４４を使用せずに、装着アタッチメント４の素材自体が有する自己形状保持力（自己弾性力）だけで、掛止部４１，４１に付勢力が生じるように形成することもできる。
【００８３】
つまり、アタッチメント本体４２は、自己の形状保持力または／及び付勢手段によって上記アタッチメント被装着部１５を挟持または把持する方向に力が作用することで、表示体１に対する装着アタッチメント４の装着が維持されるように構成することができる。
【００８４】
また図３に示すように、表示体１に取り付けた一つの装着アタッチメント４に対して一つ表示パネルシート３を取り付けても良いし、例えば高さ方向に所要間隔をおいて並べて取り付けた二つの装着アタッチメント４,４に対して一つ表示パネルシート３を取り付けるようにしても良い。また表示面積が広い表示パネルシート３の場合は、装着アタッチメント４を三つ以上使用することもできる。
【００８５】
更に図５(ａ)に示すように、本実施例では、表示パネルシート３を差し入れる表示体受部４３を装着アタッチメント４の背面側に一箇所ずつ設けている。ただし、特にその位置と数に限定するものではなく、アタッチメント本体４２における外周面のどの方向に向けて設けても良く、またその数も二以上（複数）であっても良い。表示体受部４３を様々な方向で設けることにより、図１のように表示体１の表側面と同じ方向だけでなく、斜めにあるいは直角等といった様々な方向に向けて表示パネルシート３を設置することができる。
【００８６】
（支持ベース２）
図７は、図４に示す支持ベースのI−I部分に対応する断面を示す説明図、
図８は、図７に示す支持ベースを上下二つ重ねた状態を示す断面説明図であり、重ねた上側の支持ベースを一点鎖線で示している。
図９は、同じく図７に示す支持ベースを上下二つ重ねた状態を示す断面説明図であり、図４のII−II部分に対応する断面を示す説明図である。なお、図８と同様、上側の支持ベース２を一点鎖線で示している。
図４、図７ないし図９を主に参照して、支持ベース２について説明する。
【００８７】
図４に示すように、支持ベース２は、平面視略方形状で所要の厚みを有する基体２０と、基体２０の表面部６１１に取り付けられた係止部材２１，２１を有している。係止部材２１，２１は、表面部６１１の中央に設けてある孔６１２を間に挟むようにしてその両側に離してそれぞれ設けてある。孔６１２の詳細は後述する。
【００８８】
上記したように、図４に示す表示体１の表側部１１及び裏側部１２には、円形または円形状の差込孔１１５ａ，１１５ｂがそれぞれ設けてある。支持ベース２の上記した各係止部材２１，２１の所要の位置には、係合突起２１５ａ，２１５ｂが設けてある。この各係合突起２１５ａ，２１５ｂに表示体１の差込孔１１５ａ，１１５ｂを係合させる（差し込む）ことで、表示体１を支持ベース２に取り付けることができる。
【００８９】
なお、一方の係止部材２１の係合突起２１５ａ，２１５ｂと、他方の係止部材２１の係合突起２１５ａ，２１５ｂの間の距離は、表示体１の表側部１１と裏側部１２の間の距離よりもやや広く設定されている。これについての作用は、後述する。
【００９０】
係止部材２１，２１は合成樹脂で形成されている。係止部材２１，２１は、その他の材料、例えば木製、紙製、あるいは金属製の材料で形成することもできる。各係止部材２１，２１は、係合突起２１５ａ，２１５ｂと係合突起２１５ａ，２１５ｂを互いに外方に向けた状態で配置されている。
【００９１】
各係止部材２１は、係合突起２１５ａ，２１５ｂを備えた側壁部２８を有している。係合突起２１５ａ，２１５ｂは、側壁部２８の外側（外側面）の上部寄りに設けてある。係合突起２１５ａ，２１５ｂは、表示体１の差込孔１１５ａ，１１５ｂに対応するように、図４で側壁部２８の横方向（長さ方向）に所要の間隔をおいて二箇所並設されている。符号２７２は、係止部材２１の強度を向上させるためのリブを示している。
【００９２】
係止部材２１，２１の底板２７（図７も参照）には、ネジやビス等の締付固定具用の孔２７１が所要数設けてある。本実施例では、一つの係止部材２１につき、孔２７１が二箇所設けてある。図９に示すように、係止部材２１，２１は、ネジやビス等の締付固定具２７０によって基体２０の底部側（収容凹部６１３の先部面側）から固着されている。
【００９３】
また図４に示すように、基体２０の表面部６１１における各係止部材２１の取付位置には、突条部６００が複数並設されている。突条部６００は、各係止部材２１が取り付けられる向きに沿うようにして設けられている。支持ベース２の組み立て製造時においては、この突条部６００の上から係止部材２１を取り付けることで、突条部６００が各係止部材２１の凹部２７３内に嵌り込む。これによって、係止部材２１の取り付け向きがずれることを防止している。
【００９４】
支持ベース２の基体２０は、合成樹脂によって一体成形することができる（ただし、後述する蓋６１７は別途成形）。基体２０は、図７及び図９に示すように、底面側中央に底面側から表面部６１１へ向けて凹ませてある収容凹部６１３を有している。収容凹部６１３は、底面側から表面部６１１に向かってすぼまるように、断面山形状に大きく凹ませてある。
【００９５】
そして、支持ベース２は複数積み重ねできるように構成されており、積み重ねた場合に上方の支持ベース２（基体２０）の上記収容凹部６１３に、下の支持ベース２の係止部材２１，２１が収まるようになっている。このような構成により、特に風の影響を受ける屋外で設置する場合には、支持ベース２を複数重ねて土台の重量を増し、表示体１の安定性を向上させることができる。
【００９６】
またその際は、複数重ねた支持ベース２の安定性を向上させるため、支持ベース２同士を紐やその他の固定具で連結することができる。その場合は、例えば図８で左右両端に示す打ち付け部材用の孔６２０，６２０を利用し、この孔６２０,６２０に紐を通して固く結んだり、他の固定具を差し込んで固定することで、支持ベース２同士を連結することができる。なお、重ねる支持ベース２の数は、図示の２個に限定されるものではなく、３個以上重ねることができることは言うまでもない。
【００９７】
更に、基体２０の表面側と底面側には、支持ベース２を上下積み重ねた際に本質的に基体２０の位置がずれないようにするための手段が設けてある。即ち、図９に示す基体２０の表面部６１１の所要の位置に、基体２０の底面部に設けてある凹み６１５に合致する係止部である突部６１６が形成されている。
【００９８】
突部６１６は、平面視円形で球面状に形成されているが、特にこの形状に限定するものではない。なお、突部６１６は所要数（本実施例では複数、孔６１２を間に挟むようにして両側に二箇所）設けてあり、支持ベース２に取り付けた後の表示体１の内部に収まって外から隠れる位置にある。この支持ベース２の位置が本質的にずれないようにするための手段は、他の公知技術を適宜採用することができる。
【００９９】
支持ベース２は、表示体１の転倒を防止するために、内部に重りのための水等の液体または砂などの流動性固体を入れるまたは充填できる空所である流体収容部２００（図８、図９参照）を有している。詳しくは、支持ベース２を構成する基体２０が、内部に水や砂等を入れることができる空所である流体収容部２００を有している。流体収容部２００は、基体２０の内部が中空に形成されることで構成されている。
【０１００】
つまり、流体収容部２００に充填する水や砂の量によって、支持ベース２の重量を適宜調整できる。したがって、例えば車で移動しなければならないような場所に表示装置Ａを設置するようなときには、その設置現場において水や砂を充填するようにすれば、運搬時の支持ベース２が重くならずに、より多くの支持ベース２を表示体１と共に車に積むことができ、また保管時等の取扱いも容易である。
【０１０１】
図４で右側に示す符号６１８は、水や砂等を流体収容部２００に入れたり排出したりする開口部を備えた蓋６１７付きの流体充填部を備えている。流体充填部６１８は、基体２０の外へ出っ張らないように、基体２０側面の一部を内側に凹ませた凹部６１９に配置されている。
【０１０２】
なお、蓋６１７付きの流体充填部の位置は、特に限定するものではなく、支持ベース２の上面側である表面部６１１（表面部６１１の中央寄りまたは外寄りを問わない）に設けることもできる。支持ベース２の上面側に設ける場合の方が、側面側に設ける場合と比べて、充填した水等が漏れにしくいという利点がある。
【０１０３】
図７に示すように、基体２０の両端側（図４も参照）には、接地面に対する固定手段であって打ち付け部材である杭やアンカー等（図示せず）を差し入れる孔６２０，６２０が設けてある。本実施例では、孔６２０が対向して配置されるように基体２０の角部に所要数（本実施例では複数、合計二箇所）に設けてあるが、特にこの数や位置に限定されない。
【０１０４】
孔６２０は、内側に凹んだ基体２０の角部の残部片６２１に形成された貫通孔で構成されている。このように、内側に凹ませた部分に孔６２０を設けることにより、打ち付け部材が基体２０の外に出っ張ることを防止している。この孔６２０にゴムや柔軟性を有する合成樹脂製のリング（図示せず）を取り付けて、孔６２０の破損を防止することもできる。
【０１０５】
図７に示す底面部において、基体２０の四隅部分には小さめの凹み６２２が形成されている。そして、底面部が直接接地面に接触しないように、この凹み６２２にゴムや柔軟性を有する合成樹脂製でチップ状の接地具（図示省略）を取り付けることもできる。またこの凹み６２２を利用したり、別途新たに取り付け孔を設けてキャスター（図示省略）を取り付けるようにしても良い。
【０１０６】
基体２０の中央の孔６１２には、電球や蛍光灯等の各種の照明手段である照明装置（図示省略）を取り付けることができる。また図７及び図８に示すように、底面部には収容凹部６１３を中心として十字状に形成された溝６２３が設けてあり、照明装置を取り付けた際に配線を外に引き出すための案内溝として使用できる。
【０１０７】
上記照明装置を取り付ける場合は、表示体１（後述する表示体用カバーを取り付ける場合は、表示体用カバー１００の全体または一部）を透光性を有する素材で形成すれば良い。このようにすれば、薄暗い設置場所や夜間での設置に効果的であり、遠くからでも表示装置Ａの位置を特定しやすい。よって、夜間営業する店の立て看板として、あるいは交通整理用の案内標識として好適である。なお、照明装置は基体２０側だけでなく、表示体１側またはその両方に取り付けても良い。
【０１０８】
また表示体１の内部に照明装置を取り付ける場合は、表示体用カバー１００に施したイラストの一部や文字だけを透光性を有する素材で形成し、そこから光を部分的に発するようにすれば、昼間でも表示体１や施された文字が目立ちやすくい。更に、支持ベース２を利用せずに、表示体１だけを壁面に取り付けて看板として利用することもできるし、照明手段を利用すれば、提灯看板のような使い方もできる。
【０１０９】
なお、差込孔１１５ａと差込孔１１５ｂの間には、支持ベース２から表示体１を取り外す際に指やフック等を引っ掛けるための孔（図示省略）を設けることもできる。
【０１１０】
（作  用）
本実施例に係る表示装置Ａは、次のように作用する。
なお、以下に示す表示装置Ａの設置手順等は一つの例を示しており、特にこの手順に限定するものではない。
【０１１１】
表示装置Ａを構成する表示体１は、支持ベース２に着脱可能に取り付けできる。よって、図３に示すように、例えば家電量販店の店内で使用する場合に、表示装置Ａが等身大の嵩張る大きさであっても、表示体１と支持ベース２を別々に分けて運ぶことができるので、設置時や保管時の移動または不使用の保管等が容易である。
【０１１２】
また店内に設置している際は、支持ベース２に重りのための水を充填しておき、不使用時に倉庫等に保管する際には、表示体１を支持ベース２から取り外して水を抜けば良い。
このように、表示体１は取り外しが可能なため、水の充填時に直接水道の蛇口まで持ち上げることができ、水の排出時には周りを濡らさないように洗面所等の排出口まで近づけて排水することができる。
【０１１３】
一方、屋外の離れた設置現場まで車で運んで使用する場合は、表示体１を支持ベース２から取り外した状態で別々に搬送する。このようにすれば、収容スペースが限らせた車（例えばセダン）のトランクでも、多くの表示体１を積み込むことができる。また設置現場についたら、支持ベース２に水や砂などを充填し、必要に応じて杭やアンカー等で固定すれば良い。
【０１１４】
次に、図４に示すように、支持ベース２に表示体１を取り付ける。
即ち、例えば表示体１の両端を持って、基部側開口１０側（底部側）を支持ベース２の各係止部材２１，２１の上方から嵌め込み、各係止部材２１，２１の係止突起２１５ａ，２１５ｂに表側部１１及び裏側部１２の各差込孔１１５ａ，１１５ｂを嵌め込む。
【０１１５】
上記したように、一方の係止部材２１の係合突起２１５ａ，２１５ｂと、他方の係止部材２１の係合突起２１５ａ，２１５ｂの間の距離は、表示体１の表側部１１と裏側部１２の間の距離よりもやや広く設定されている。したがって、取り付け後の表示体１には、基部側開口を閉じようとする力（自己閉鎖性）が働き、表示体１の底部側内方部分で係止部材２１を外方から締め付けたような状態となる。その結果、表示体１は、支持ベース２に強固に取り付けられて起立状態を保持し、多少の強い風や雨を受けても外れることはない。
【０１１６】
なお、表示体１は、上記したように基部側開口１０を閉じようとする自己閉鎖性を有していることがより好ましいが、支持ベース２から容易に外れないようであれば、必ずしも自己閉鎖性を有している必要はない。また、表示体１を支持ベース２から取り外した状態のときに、表示体１の基部側開口１０が完全に閉じてしまうか、ほとんど閉じてしまうような自己閉鎖性であれば、不使用時の表示体１の厚みを扁平状に薄くすることができ、収容時や搬送時の場所がとられない。更に、表示体１が支持ベース２から容易に外れないように、係止部材２１の係合突起２１５ａ，２１５ｂの所要の位置に、表示体１の差込孔１１５ａ，１１５ｂの内縁部に掛止または引っ掛かる溝や切欠部等を形成することもできる。
【０１１７】
表示体１の取り付けが済んだら、図１に示すように、商品の広告や宣伝等が表示された表示体用カバー１００を表示体１に被せる。表示体用カバー１００は、上記したように、表示体１に取り付け後の表示体用カバーに皺が形成されることを防止するために、表示体１にややきつく嵌め込んで密着させることができる大きさで形成してある。よって、表示体用カバー１００を被せる際、まずは、表示体用カバー１００の開口部１０２を表示体１の先端部に嵌め込み、その後、両方の手で表示体用カバー１００の幅方向の両端側をそれぞれ掴んで、下方にずらしながら少し嵌め込んでいく手順を採用することが好ましい。
【０１１８】
そして、その嵌め込みの際、表示体１の表側部１１及び裏側部１２の周縁部付近に設けてある凹溝１５１が、表示体用カバー１００と表示体１の間に外気を通気させ、表示体用カバー１００の取り付けを容易にする。
【０１１９】
即ち、表示体用カバー１００は袋状で先端部が閉じられているため、仮に表示体用カバー１００の取り付け時に、表示体用カバー１００と表示体１の間に外気が全く通気しない場合には、表示体用カバー１００の内部奥の空気が外に逃げないために、空気圧の関係で表示体用カバー１００を表示体１に上手く被せることができない。
【０１２０】
これに対し本実施例では、表示体用カバー１００を下方にずらしながら被せる際に、表示体用カバー１００内の空気が表示体１の凹溝１５１を通って外に排出されるので、表示体用カバー１００をスムーズに取り付けることができる。
【０１２１】
一方、表示体用カバー１００を表示体１から取り外す際も同様である。
即ち、仮に表示体用カバー１００と表示体１の間に外気が全く通気しない場合には、表示体用カバー１００を先部側に単に引っ張ろうとしても、空気圧の関係で表示体用カバー１００の内部奥に負圧が生じ、逆に表示体用カバー１００が表示体１にぴったりと密着してしまい、容易には外れない。このため、かなりの力で強く引っ張らないと外れない可能性が高いが、無理に引っ張ってしまうと表示体用カバー１００が縦や横に伸びてしまい、再使用できないといった不都合が発生しやすい。
【０１２２】
これに対し本実施例では、表示体用カバー１００を引っ張って取り外す際に、表示体１の凹溝１５１内を外気が通るため、表示体用カバー１００の内部奥に外気が送られ、当該部分に過度の負圧が生じない。これにより、無理な力を加えることなく、表示体用カバー１００をスムーズに取り外すことができる。
【０１２３】
次に、図３に示すように、装着アタッチメント４を使用することにより、表示体用カバー１に施される表示とは別に、表示体１に表示を施すことができる。
即ち、まず図５(ｂ)に示す装着アタッチメント４を表示体１に被せた表示体用カバー１００の上から装着する。詳しくは、表示体１のアタッチメント被装着部１５に相当する部分に、装着アタッチメント４を押し込んで嵌め込む。続いて、装着アタッチメント４に表示パネルシート３を差し入れて取り付ける。
【０１２４】
上記したように、装着アタッチメント４のアタッチメント本体４２にはバネ４４が設けてあり、そのバネ４４の付勢力によって掛止部がアタッチメント被装着部１５を挟持する方向に力が働く。よって、一旦、装着アタッチメント４を装着すれば、掛止部が凹溝１５１から外れる位置まで両側に開かないと、装着アタッチメント４は容易に外れない。
【０１２５】
更に図３に示すように、例えば家電量販店で使用する場合には、例えば新製品の広告等を家電メーカー側が表示体用カバー１００に施し、一方、日々変わる商品の安売り情報やお得な情報を装着アタッチメント４の表示パネルシート３に店側が施すことができる。このような使い方をすれば、表示体用カバー１００とは関係なく、表示パネルシート３の取り換えを含む取り付け・取り外しが容易に且つ、迅速に行うことができる。
【０１２６】
更に、表示体用カバー１００の上から装着アタッチメント４を装着することによって、装着部分における表示体用カバー１００のズレが防止できるので、表示体用カバー１００に皺が発生することをより効果的に防ぐことができる。
【実施例２】
【０１２７】
図１０は、本発明に係る表示装置の第２の実施例を説明するための使用状態を示す正面視説明図である。
なお、実施例１と同一または同等箇所には同一の符号を付して示している。また、実施例１で説明した箇所については、説明を省略し、主に相異点を説明する。これについては、後述する実施例３についても同じである。
【０１２８】
本実施例に係る装着アタッチメント４ａでは、表示体１と協働して仕切区域を形成する棒状の連結具（仕切りバー)である掛け渡しバー５を取り付けて使用できる。掛け渡しバー５は、並設される表示体１，１の間に掛け渡すようにして配置することで表示体１,１と協働して仕切区域を形成できる。
【０１２９】
掛け渡しバー５の両端側には、リング状の取付具５１，５１がそれぞれ設けてある。そして、この取付具５１を表示体１に装着した装着アタッチメント４ａのフック４６に引っ掛けて使用するものである。なお、この掛け渡しバー５は例えば合成樹脂で形成することができ、セーフティコーンと呼ばれる錐形のコーン部材と共に使用される汎用品を使用することもできる。
【０１３０】
フック４６は側面視Ｌ形状に形成されており、アタッチメント本体４２の外周面の所要の位置に取り付けてある。この取付位置は、実施例１の表示体受部４３と同様に、特に限定するものではなく、周面のどの方向に向けて設けても良く、またその数も二以上（複数）であっても良い。
【０１３１】
このように、本実施例に係る装着アタッチメント４ａを使用することで、表示体１と共に掛け渡しバー５を用いて仕切区域を容易に形成することができるので、例えば警察や消防などが屋外で現場保全を行う際に好適に使用できる。なお、図１０では、「交通事故」の発生に起因して警察が現場検討を行っている様子を例に挙げて図示している。
【０１３２】
また図１０では、図３で示した表示パネルシート３用の装着アタッチメント４を同時に使用することで、「交通事故  検証中」等といったパネルを掲げ、ドライバーや歩行者に対して二次被害が発生しないように注意を呼びかけている。
【０１３３】
なお、図１０では、同一方向に並べた表示体１を掛け渡しバー５で連結している状態を例に挙げて図示しているが、例えばマンホールの点検を行う際に、マンホールを複数の表示体１と掛け渡しバー５で四方から取り囲むようにして設置して使用することもできる。
【実施例３】
【０１３４】
図１１は、本発明に係る表示装置の第３の実施例を説明するための使用状態斜視説明図であって、表示装置を構成する支持ベースに取り付けられた表示体と、表示体に被せられる表示体用カバーを示している。
【０１３５】
本実施例では、実施例１（図１参照）に示した表示体用カバー１００と相違して、表示体用カバー１００ａが透視性を有している。表示体用カバー１００ａの素材としては、例えば柔軟性を有する透明または半透明の合成樹脂製シートが採用ができる。図１１では、表示体用カバー１００ａ全体が透視性を有しているが、一部に透視性を有するようにしても良い。これにより、表示体１に表示体用カバー１００ａを被せた状態でも、表示体１に施された表示を外部から視認することができる。
【０１３６】
具体例を挙げて説明すると、例えば図１１に示すように、携帯電話を販売するショップの表示装置として使用する場合には、新商品の宣伝用ポスターＰやショップの店名等を印刷した表示シートＳ（以下、ポスター等という）を表示体１の表側部１１に貼り付け、その上から表示体用カバー１００ａを被せるようにする。
【０１３７】
このようにすれば、表示装置を屋外で使用した場合でも、雨でポスターＰ等が濡れることはない。したがって、ポスターＰ等をインクジェットプリンタで印刷した場合でも、印字が雨で滲むことはない。よって、インクジェットプリンタで気軽に印刷して貼り替えることができるので、新商品の発売サイクルが短いものの表示装置として好適に使用できる。これにより、表示体用カバー１００ａに直接印刷する場合と比べて、広告費のコスト削減が期待できる。
【０１３８】
また、例えば透視性を有する表示体用カバー１００ａにフレームや花柄の模様を印刷等によって施し、表示体１側に貼ったポスターＰの文字表示と重ね合わせて、表示体１全体としての広告デザインの一体感を図るようにしても良い。
【０１３９】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【０１４０】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０１４１】
【図１】本発明に係る表示装置の第１の実施例を構成する支持ベースに取り付けられた表示体と、表示体に被せられる表示体用カバーを示す斜視説明図。
【図２】図１に示す支持ベースに取り付けられた表示体（表示体用カバーは図示していない）を示す側面視説明図。
【図３】図１に示す表示体用カバーを表示体に被せた後に、表示体用カバーの上から装着アタッチメントを取り付けた使用状態を示す正面視説明図。
【図４】図１に示す支持ベースを示す拡大斜視説明図。
【図５】表示装置Ａを構成する装着アタッチメントの斜視説明図。
【図６】図５に示す装着アタッチメントの側面視縮小説明図。
【図７】図４に示す支持ベースのI−I部分に対応する断面を示す説明図。
【図８】図７に示す支持ベースを上下二つ重ねた状態を示す断面説明図。
【図９】図７に示す支持ベースを上下二つ重ねた状態を示す断面説明図。
【図１０】本発明に係る表示装置Ａの第２の実施例を説明するための使用状態を示す正面視説明図。
【図１１】本発明に係る表示装置の第３の実施例を説明するための使用状態斜視説明図。
【符号の説明】
【０１４２】
Ａ 表示装置
１ 表示体
１００、１００ａ 表示体用カバー
２ 支持ベース
３ 表示パネルシート
４，４ａ 装着アタッチメント
５ 掛け渡しバー
１０ 基部側開口
１１ 表側部
１２ 裏側部
１３，１４ 曲部
１５ アタッチメント被装着部
２０ 基体
２１ 係止部材
２７ 底板
２８ 側壁部
３０ｍｍ 約
３２ 嵌合凹部
４１ 掛止部
４２ アタッチメント本体
４３ 表示体受部
４４ バネ
４６ フック
５１ 取付具
１０１ 表示面
１０２ 開口部
１１５ａ，１１５ｂ 差込孔
１５１ 凹溝
２００ 流体収容部
２１５ａ，２１５ｂ 係合突起
２７０ 締付固定具
２７１ 孔
２７２ リブ
２７３ 凹部
３２１ 掛止片
４２１ 嵌合凹部
４３１，４３１ 嵌合片
４３２ 差込溝
４３３ 掛止突条部
４３４ 当接部
６００ 突条部
６１１ 表面部
６１２ 孔
６１３ 収容凹部
６１５ 凹み
６１６ 突部
６１７ 蓋
６１８ 流体充填部
６１９ 凹部
６２０ 孔
６２１ 残部片
６２２ 凹み
６２３ 溝
９１１ 表面部
【図１】
2008058930.tif 000003
【図２】
2008058930.tif 000004
【図３】
2008058930.tif 000005
【図４】
2008058930.tif 000006
【図５】
2008058930.tif 000007
【図６】
2008058930.tif 000008
【図７】
2008058930.tif 000009
【図８】
2008058930.tif 000010
【図９】
2008058930.tif 000011
【図１０】
2008058930.tif 000012
【図１１】
2008058930.tif 000013